(57)【要約】【課題】データを画像の拡大やスクロールを行うことなく、読み取られた複数ページ分の画像データの中から、１ページ分のデータを表示装置に出力可能とした原稿撮像装置を提供する。【解決手段】原稿読取手段２で読み取られた原稿１６の画像データを、表示装置１５に出力可能とした原稿撮像装置１において、前記原稿読取手段で読み取られた原稿の画像データを分割する分割手段を備え、該分割手段によって前記原稿読取手段で読み取られた一枚の原稿における複数ページ分の画像データを１ページ分のデータに分割して表示装置に出力可能に構成する。【選択図】            図１
2005277901.tif 000002
【特許請求の範囲】
【請求項１】
原稿読取手段で読み取られた原稿の画像データを、表示装置に出力可能とした原稿撮像装置において、
前記原稿読取手段で読み取られた原稿の画像データを分割する分割手段を備え、該分割手段によって前記原稿読取手段で読み取られた一枚の原稿における複数ページ分の画像データを１ページ分のデータに分割可能としたことを特徴とする原稿撮像装置。
【請求項２】
前記原稿撮像装置は、前記原稿読取手段で読み取られた原稿の画像データをディジタル画像データに変換するＡ／Ｄコンバータと、
前記Ａ／Ｄコンバータからの前記画像データを記憶するメモリと、
前記表示装置に対して前記メモリに記憶された前記画像データを出力する出力手段と、
を有することを特徴とする請求項１に記載の原稿撮像装置。
【請求項３】
前記分割手段によって分割される前記画像データの分割数を設定する分割数設定手段を有することを特徴とする請求項１または請求項２に記載の原稿撮像装置。
【請求項４】
前記原稿撮像装置は、前記分割手段によって分割された画像データのそれぞれの領域に対するページ枠の検出をするページ枠検出手段と、
前記ページ枠検出手段によって検出されたページ枠内の画像データを切り出す画像切り出し手段と、
を有することを特徴とする請求項１〜３のいずれか１項に記載の原稿撮像装置。
【請求項５】
前記画像切り出し手段で切り出された画像データに対する角度補正を行う角度補正手段を有することを特徴とする請求項４に記載の原稿撮像装置。
【請求項６】
前記画像切り出し手段で切り出された画像データを、単独のページとして記憶する記憶手段を有することを特徴とする原稿撮像装置。
【請求項７】
前記単独のページとして記憶された画像データに対して、回転などの画像操作を可能とした画像操作手段を有することを特徴とする原稿撮像装置。
【請求項８】
前記原稿撮像装置は自動給紙機構を備え、両面印刷された原稿の表裏両面のデータをそれぞれ一括して読み取り、その読み取った画像データを正しいページ順序に整列する制御手段を有することを特徴とする原稿撮像装置。
【発明の詳細な説明】
【技術分野】
【０００１】
本発明は、パソコンを介さずに読み取った画像をプロジェクタ等の表示装置に出力することが可能な原稿撮像装置に関するものである。
【背景技術】
【０００２】
従来、スライドやオーバーヘッドプロジェクタ（ＯＨＰ）などを用いてプレゼンテーションが行われてきたが、パーソナルコンピュータの普及とともにパーソナルコンピュータと液晶プロジェクタとの組み合わせによるプレゼンテーションが行われるようになってきている。この場合でも、補助資料など印刷物や手書きの資料を使用する要求は高く、液晶プロジェクタと組み合わせて使用する原稿撮像装置が求められている。
【０００３】
そのため、例えば図８に示すような原稿撮像装置が用いられてきた。図８において、３１はエリアイメージセンサを使用したビデオカメラ、３２は原稿を載せる原稿台、３３はこの原稿台上の原稿を照らす照明装置である。液晶プロジェクタと接続してプレゼンテーションを行い、あるいはテレビ会議装置に接続して画像入力を行うことができる。
【０００４】
また、このようなパソコンを介さずに表示装置に表示する原稿撮像装置として、例えば特許文献１に示されるように、リニアイメージセンサを用いた原稿撮像装置も提案されている。このような装置におけるブロック構成の一例を図９に示す。図９において、３４は原稿撮像装置を示しており、３５はコンタクトイメージセンサなどのレンズ及び原色光源（Ｒ，Ｇ，Ｂ）一体型のリニアイメージセンサ、３６はリニアイメージセンサ３５からの画像情報をディジタルデータに変換するＡ／Ｄコンバータである。３７はＡ／Ｄコンバータ３６からのデータを記憶する表示メモリ、３８はビデオ信号発生器、３９は装置全体の動作を制御するＣＰＵである。４０はＣＰＵ３９の制御プログラムを格納するＲＯＭ、４１は動作方法指定用スイッチ、４２は液晶ディスプレイなどの表示装置である。
４３は本装置で読み取る原稿、４４は副走査位置検出器、４５は副走査駆動機構である。
これらの構成により、リニアイメージセンサで読み取った原稿の画像情報を表示装置に出力するように構成されている。
【特許文献１】特開２００１−１８６３０２号公報
【発明の開示】
【発明が解決しようとする課題】
【０００５】
上記した従来例の原稿撮像装置で使用される原稿は、トランスペアレント用紙や普通紙１枚に対して１ページ分のデータを印刷することが一般的であった。ところで、現状においては紙のコストなど、経費削減を目的として用紙１枚に対して複数ページ分のデータを印刷することや、両面へ印刷することが多くなってきている。例えばプレゼンテーションなどで配布される資料などがある。
【０００６】
しかしながら、上記した従来例の原稿撮像装置においては、用紙１枚に対して複数ページ分のデータを印刷した画像データを読み取った場合において、その複数ページの中から必要とする１ページ分のデータを表示するためには、画像の拡大や拡大画像のスクロール等を、各ページごとに行わなくてはならず、また、両面原稿の場合には、１ページごとに読み込まなければならず、これらが円滑なプレゼンテーションの妨げとなっていた。
【０００７】
そこで、本発明は上記課題に鑑み、データを画像の拡大やスクロールを行うことなく、読み取られた複数ページ分の画像データの中から、１ページ分のデータを表示装置に出力可能とした原稿撮像装置を提供することを目的とするものである。
【課題を解決するための手段】
【０００８】
本発明は、以下のように構成した原稿撮像装置を提供するものである。
すなわち、本発明の原稿撮像装置は、原稿読取手段で読み取られた原稿の画像データを、表示装置に出力可能とした原稿撮像装置において、前記原稿読取手段で読み取られた原稿の画像データを分割する分割手段を備え、該分割手段によって前記原稿読取手段で読み取られた一枚の原稿における複数ページ分の画像データを１ページ分のデータに分割可能としたものである。
【発明の効果】
【０００９】
本発明によれば、データを画像の拡大やスクロールを行うことなく、読み取られた複数ページ分の画像データの中から、１ページ分のデータを表示装置に出力可能とした原稿撮像装置を実現することができる。
【発明を実施するための最良の形態】
【００１０】
本発明を実施するための最良の形態を、以下の実施例により説明する。
【実施例】
【００１１】
図１乃至図７に示す本発明の実施例における構成は、上記した本発明の原稿撮像装置の構成を適用したものである。本実施例においては上記した本発明の構成を適用するに際して、原稿撮像装置を、前記原稿読取手段で読み取られた原稿の画像データをディジタル画像データに変換するＡ／Ｄコンバータと、前記Ａ／Ｄコンバータからの前記画像データを記憶するメモリと、前記表示装置に対して前記メモリに記憶された前記画像データを出力する出力手段とによって構成することができる。
また、原稿撮像装置を、前記分割手段によって分割される前記画像データの分割数を設定する分割数設定手段を有する構成とすることができる。
また、原稿撮像装置を、前記分割手段によって分割された画像データのそれぞれの領域に対するページ枠の検出をするページ枠検出手段と、前記ページ枠検出手段によって検出されたページ枠内の画像データを切り出す画像切り出し手段と、を有する構成とすることができる。
また、原稿撮像装置を、前記画像切り出し手段で切り出された画像データに対する角度補正を行う角度補正手段を有する構成とすることができる。
また、原稿撮像装置を、前記画像切り出し手段で切り出された画像データを、単独のページとして記憶する記憶手段を有する構成とすることができる。
また、原稿撮像装置を、前記単独のページとして記憶された画像データに対して、回転などの画像操作を可能とした画像操作手段を有する構成とすることができる。
また、原稿撮像装置が自動給紙機構を備え、両面印刷された原稿の表裏両面のデータをそれぞれ一括して読み取り、その読み取った画像データを正しいページ順序に整列する制御手段を有する構成とすることができる。
【００１２】
つぎに、図１乃至図７により、以上の本実施例の構成について更に具体的に説明する。
ここで、図１は本実施例の原稿撮像装置のブロック図である。図１において１は原稿撮像装置１を示している。２はレンズ及び原色光源（Ｒ，Ｇ，Ｂ）一体型のリニアイメージセンサ、３は原稿位置検出器、４は副走査駆動機構と原稿給送機構を兼ねた原稿駆動機構である。５はＡ／Ｄコンバータ、６は第１のバッファメモリ、７は表示中及び表示後のデータを圧縮して格納しておく第２のバッファメモリ、８は表示メモリである。この第１のバッファメモリ６はリニアイメージセンサ２で読み込みＡ／Ｄコンバータ５でのディジタルデータに変換した原稿情報を、表示メモリ８を介して表示装置に表示する前に一時記憶するためのメモリである。
【００１３】
９は表示メモリ８に書き込まれたデータを逐次ビデオ信号に変換して出力するビデオ信号発生器、１０は表示装置情報読み出し器、１１は装置全体の動作を制御するＣＰＵである。
１２は分割手段やページ枠検出手段等の制御プログラムや制御データ等を格納するＲＯＭである。このＲＯＭ１２に格納された制御プログラムや制御データ等に基づいて、装置全体の動作を司るＣＰＵ１１によって、後述する分割処理やページ枠の検出等を含む処理の制御が行われる。
１３は表示性能指定用スイッチ、１４は動作方法指定用スイッチ、１５は液晶プロジェクタなどの表示装置、１６は本装置で読み取る原稿、１７は後述の原稿トレイ１８上に貯えられている複数枚の原稿である。
【００１４】
図２は本実施例の原稿撮像装置の機械的構造を示す断面図である。
図２において１６は読み取り中の原稿、１７は後述の原稿トレイ１８上に貯えられている原稿、１８は原稿トレイである。１９は動作方法指定用スイッチ１４の一部である原稿セット検知器、２０は原稿駆動機構４の一部である分離ローラ、２１は原稿駆動機構４の一部である給紙ローラ、２２は原稿駆動機構４の一部であるメインローラ、２３は原稿駆動機構４の一部である排紙ローラ、２４は白色板である。
【００１５】
２５はメイン制御基板であり、上記したＡ／Ｄコンバータ５、第１のバッファメモリ６、第２のバッファメモリ７、表示メモリ８、ビデオ信号発生器９、表示装置情報読み出し器１０、ＣＰＵ１１、ＲＯＭ１２などの主要制御回路を搭載する基板である。２６は駆動系上側保持部材、２７は分離パッド、２８は第１のピンチローラ、２９は第２のピンチローラ、３０は駆動系下側保持部材である。
【００１６】
給紙ローラ２１と分離ローラ２０は原稿トレイ１８に貯えられた原稿１７の内の１枚の原稿１６を原稿トレイ１８から原稿読取部まで給送するための給付手段として機能する原稿給送機構の駆動ローラであり、メインローラ２２と排紙ローラ２３は原稿１６をリニアイメージセンサに対して相対的に動かす副走査を行うための副走査駆動機構の駆動ローラである。
これら２つの機構は独立して駆動できる必要があるが、本装置では動力源であるモータの回転方向の切替えとばねクラッチを組み合わせることにより１つの動力源で２つの機構を独立して駆動できるように構成されている。
【００１７】
図３は本実施例の装置の起動後の処理手順を示す流れ図（Ｓ１〜Ｓ１５はそれらの各ステップを示す）である。
先ず、内部の変数や機構の初期化を行い（Ｓ１〜Ｓ６）、その後に動作方法指定用スイッチ１４による指示待ちのループ処理に入る（Ｓ７〜Ｓ１３）。
再表示カウンタ（Ｓ３）は第２のバッファメモリ７に貯えられている原稿情報の個数を示す変数である。再表示ポインタ（Ｓ４）は第２のバッファメモリ７に貯えられている原稿情報のうち、どの原稿情報を表示メモリ８に転送しているかを示す変数を示しており、０の時は最後に読み込まれた原稿情報であることを示し、１増える毎に順により古い原稿の情報であることを示している。
リモコンスイッチのボタンが押下され動作の指示がなされた場合には、指示の内容に応じて、新規原稿表示（Ｓ７，Ｓ７’）、回転表示（Ｓ８，Ｓ８’）、鏡像反転表示（Ｓ９，Ｓ９’）、再表示（Ｓ１０，Ｓ１０’）、サムネイル表示（Ｓ１１，Ｓ１１’）、両面画像読み込み（Ｓ１２，Ｓ１２’）の処理が行われる。
【００１８】
図４は本実施例の装置の原稿給送、及び、原稿読み取りの処理手順を示す流れ図（Ｓ２１〜Ｓ３５はそれらの各ステップを示す）である。
先ず、ＣＰＵ１１は光源を点灯させる（Ｓ２１）。光源は、リニアイメージセンサに内蔵されているＲ，Ｇ，Ｂの光源で、１ライン分の読み取り内に、Ｒ，Ｇ，Ｂを切り換えて点灯させる。
次にモータを回転させ（Ｓ２２）、給送用の給紙ローラ２１及び分離ローラ２０を駆動し、原稿トレイ１８に貯えられている原稿１７のうちの１枚の原稿１６を給送する（Ｓ２３）。
原稿１６が原稿位置検出器３に達したタイミングを基準に、原稿１６がメインローラ２２に達するまで給送を続ける（Ｓ２４）。
原稿１６がメインローラ２２に達した段階でモータの回転を副走査方向に切り替え（Ｓ２５）、給紙ローラ２１及び分離ローラ２０の駆動を停止すると共に副走査用のメインローラ２２及び排紙ローラ２３を駆動する。
原稿１６が白色板２４上の原稿読み取り可能位置まで達した段階で（Ｓ２６）、ＣＰＵ１１は、Ａ／Ｄコンバータ５から第１のバッファメモリ６へのデータ転送を開始し（Ｓ２７）、原稿１枚分のデータが転送された段階で（Ｓ２８）データ転送を終了させ（Ｓ２９）、光源を消灯し（Ｓ３０）、原稿排出処理を行い（Ｓ３１）、モノクロ原稿のチェックを行う（Ｓ３２）。モノクロ原稿と判定（Ｓ３３）した場合には、モノクロフラグをセット（Ｓ３４）する。
次に、画像の分割処理を行い（Ｓ３５）モータを停止する。
【００１９】
図５は本実施例の画像撮像装置の画像の分割処理を示す流れ図（Ｓ３５１〜Ｓ３５４はそれらの各ステップを示す）である。
まず、分割設定が要求されているか確認を行う（Ｓ３５１）。分割数設定手段により分割数の設定が２に設定されている場合には、読み取った画像データを２分割する（Ｓ３５２）。分割数の設定が４に設定されている場合には、読み取った画像データを４分割する（Ｓ３５３）。
次に、画像データ分割手段により分割されたそれぞれの領域に対して、ページ枠検出手段によりページ枠の検出（Ｓ３５４）を行い、ページ枠が検出された場合には切出された画像データを１ページ分の画像データとして記憶し、ページ枠が検出されなかった場合には分割された領域全部の画像データを１ページ分の画像データとして記憶手段に記憶する。このように単独のページとして記憶された画像データに対して、必要に応じて画像操作手段により回転などの画像操作を可能とすることができる。
なお、以上のステップにおけるＳ３５３での分割処理やＳ３５４でのページ枠の検出は、ＲＯＭ１２に格納された分割手段やページ枠検出手段等の制御プログラムに基づいて、装置全体の動作を司るＣＰＵ１１によって制御される。
【００２０】
以下に、本実施例で用いたページ枠の検出処理の一例を示す。ページ枠の検出は画像データの外側から特定部分において、上下左右より枠、即ち四角形を走査していくことによって検出する。枠が検出された場合には、ページ枠内の画像データを切り出し、さらに、必要に応じて４角の座標を用いて角度補正を行うように構成することができる。
【００２１】
図６は本実施例の自動給紙機構を備えた原稿撮像装置における両面原稿読み込み動作の処理手順を示す流れ図（Ｓ１８１〜Ｓ１８８はそれらの各ステップを示す）である。
まず、Ｓ１８１において、操作者に対して表面原稿のセット要求を行う。つぎに、Ｓ１８２で原稿セット検知器を確認し原稿がなくなった、即ち、表面の原稿を全て読み込んだ場合には読み込み動作を停止し、裏面原稿読み込み動作へと移行する。Ｓ１８３で原稿の読み込み動作を行い、Ｓ１８４で第１のバッファメモリの容量の確認を行う。第１のバッファメモリの空き容量が両面印刷原稿読み込み開始から半分の容量になった時点で、Ｓ１８５にてバッファ容量が半分に達したため、裏面原稿に切り替えるよう通知を行い、表面原稿の読み込み動作を停止する。
Ｓ１８６で裏面原稿のセット要求を行う。Ｓ１８７で原稿セット検知器を確認し、Ｓ１８８にて原稿の読み込み動作を繰り返す。Ｓ１８７で原稿がなくなった場合には両面原稿読み込み動作を停止する。
本実施例では両面印刷原稿の読み込みは、ページ番号をとばしながら、即ち、歯抜けになるように表面の原稿を読み込み、裏面原稿を読み込む際に、歯抜けになったページ番号の画像データを埋めていくように処理を行う。以下に分割指定数が１の場合の一例を説明する。
【００２２】
図７は本実施例の両面原稿読み込み動作の例を説明するための図である。
まず、表面を読み取る場合は、ページ番号Ｐ１、Ｐ３、Ｐ５の順に画像データを記憶していき、裏面を読み取る際に、その間にあるＰ２、Ｐ４、Ｐ６に画像データを記憶するよう動作する。記憶するページ番号を求める式を以下に示す。
分割指定数をｍ（ｍ＝１，２，４）とした場合、両面原稿読み込み開始時のページ番号をＰｓとすると、ｎ枚目の表面ページ番号Ｐｎは、
Ｐｎ  ＝  Ｐｓ  ＋  ２  ｍ  （  ｎ  −  １  ）
となり、裏面ページ番号Ｐｎは、
Ｐｎ  ＝  Ｐｓ  ＋  ｍ  （  ２  ｎ  −  １  ）
となる。本実施例では、画像データの記憶時にそれぞれのページ番号に記憶するよう示したが、一括して読み込んだ後に並べ替えるよう動作する方法をとってもよい。また、表面原稿のみを予め一括して読み込んでおき、裏面原稿は原稿トレイ１８にセットしておいた状態で、必要に応じて、つまり、該ページ番号に達した時に読み込み動作を行う方法をとってもよい。
【００２３】
本実施例によれば、用紙１枚に対して複数ページ分のデータを印刷した原稿を読み取った場合でも画像の拡大やスクロールを行わなくても、該１ページ分のデータを即座に表示することができる。また、両面原稿読み込み時の煩わしい原稿セット操作を行うことなく、表面、裏面を一括して読み込ませることにより、両面印刷原稿を正しいページ順序に整列させることができる。
【図面の簡単な説明】
【００２４】
【図１】本発明の実施例における原稿撮像装置の構成を示すブロック図である。
【図２】本発明の実施例の原稿撮像装置における機械的構造を示す概略断面図である。
【図３】本発明の実施例の原稿撮像装置における起動後の処理手順を示す流れ図である。
【図４】本発明の実施例の原稿撮像装置における原稿給送及び読み取りの処理手順を示す流れ図である。
【図５】本発明の実施例の原稿撮像装置における画像データ分割処理を示す流れ図である。
【図６】本発明の実施例の原稿撮像装置における両面原稿読み込み動作の処理手順を示す流れ図である。
【図７】本発明の実施例の原稿撮像装置における両面原稿読み込み動作の例を説明するための図である。
【図８】従来例におけるエリアイメージセンサを用いた原稿撮像装置の構造を示す模式図である。
【図９】従来例におけるリニアイメージセンサを用いた原稿撮像装置を示すブロック図である。
【符号の説明】
【００２５】
１：原稿撮像装置
２：リニアイメージセンサ
３：原稿位置検出器
４：原稿駆動機構
５：Ａ／Ｄコンバータ
６：第１のバッファメモリ
７：第２のバッファメモリ
８：表示メモリ
９：ビデオ信号発生器
１０：表示装置情報読み出し器
１１：ＣＰＵ
１２：ＲＯＭ
１３：表示性能指定用スイッチ
１４：動作方法指定用スイッチ
１５：表示装置
１６：原稿
１７：多数枚の原稿
１８：原稿トレイ
１９：原稿セット検知器
２０：分離ローラ
２１：給紙ローラ
２２：メインローラ
２３：排紙ローラ
２４：白色板
２５：メイン制御基板
２６：駆動系上側保持部材
２７：分離パッド
２８：第１のピンチローラ
２９：第２のピンチローラ
３０：駆動系下側保持部材
３１：ビデオカメラ
３２：原稿台
３３：照明装置
３４：原稿撮像装置
【図１】
2005277901.tif 000003
【図２】
2005277901.tif 000004
【図３】
2005277901.tif 000005
【図４】
2005277901.tif 000006
【図５】
2005277901.tif 000007
【図６】
2005277901.tif 000008
【図７】
2005277901.tif 000009
【図８】
2005277901.tif 000010
【図９】
2005277901.tif 000011